(57)【要約】      （修正有）【課題】より大きく小旋回用舵を傾けることが可能で、かつフジツボやカキ殻の付着によるトラブルの少ない複合舵を提供する。【解決手段】船底Ｂに設けられる主舵軸２と、主舵軸２を軸として回動する主舵３と、主舵３と一体的に主舵軸２回りに遊星状に回動する小舵軸４と、小舵軸４を軸として回動する小旋回用舵５と、小舵軸４に固定され小旋回用舵５の平面視長手方向に延びるスライドバー６と、主舵軸２の後方の船底に回動可能に設けられる枢軸とを備え、スライドバー６が枢軸７に対して摺動可能にかつ枢軸まわりに回動可能に枢軸に連結された複合舵であり、枢軸に固定されるとともに枢軸回りに回動する鞘管８を備え、スライドバー６は、鞘管８内を摺動する。【選択図】図１
2014172502.tif 000002
【特許請求の範囲】
【請求項１】
船底に設けられる主舵軸と、前記主舵軸を軸として回動する主舵と、前記主舵の回動と一体的に前記主舵軸回りに遊星状に回動する小舵軸と、前記小舵軸を軸として回動する小旋回用舵と、前記小舵軸又は前記小旋回用舵に基端側を固定され先端側を前記小旋回用舵の前端側に向けて小旋回用舵の平面視長手方向に延びるスライドバーと、前記主舵軸の後方の船底に設けられ甲板に垂直な方向に延びる枢軸とを備え、前記スライドバーが前記枢軸に対して摺動可能にかつ前記枢軸まわりに回動可能に前記枢軸に連結されることで前記小旋回用舵が前記枢軸の方を向くように構成された複合舵であって、
前記枢軸に固定されるとともに前記枢軸回りに回動する鞘管を備え、
前記スライドバーは、前記鞘管内を摺動することを特徴とする複合舵。
【請求項２】
前記スライドバーは、基端側に下方かつ先端側へ折り返す折返し部分を有し、この折り返し部分の少なくとも一部が小舵軸について前記スライドバーの先端側と逆側に突出している請求項１又は請求項２に記載の複合舵。
【請求項３】
前記主舵は、側面視で前記主舵軸の軸芯より前側部分と後側部分の側面積の比が５：５である請求項１から請求項３のいずれか１項に記載の複合舵。
【請求項４】
前記小旋回用舵は、側面視で前記小舵軸の軸芯より前側部分と後側部分の側面積の比が６：４である請求項１から請求項４のいずれか１項に記載の複合舵。
【発明の詳細な説明】
【技術分野】
【０００１】
この発明は、主舵と、主舵に連動し船が小半径で旋回することを補助する小旋回用舵とを備えた複合舵に関する。
【背景技術】
【０００２】
本発明者は、船の小旋回を可能とする複合舵の開発に取り組んでおり、特許文献１においてかかる複合舵を提案している。特許文献１の複合舵は、主舵の後方に設けられた小旋回用舵が、主舵の回動に連動して主舵の舵軸（以下単に「主舵軸」）回りに遊星状に回動することで主舵と等角度傾くことに加え、小旋回用舵に固定されて小旋回用舵と共に小舵軸回りに回動するスライドバーの先端部が、主舵軸の後方の船底に設けられた枢軸に対しスライド可能にかつ回動可能に枢軸に拘束されることで、小旋回用舵の先端が強制的に枢軸の方を向くように構成されているため、平面視で舵軸と小舵軸とを結ぶ直線と、平面視で小舵軸と枢軸とを結ぶ直線とのなす角の分だけ主舵よりもさらに大きく回動する。このため、主舵の回動角度以上にスクリューからの水流を大きく方向転換させることができ、こうして船の旋回半径を小さくすることを可能にするものである。
【先行技術文献】
【特許文献】
【０００３】
【特許文献１】特開２０１０−２６９７５４号公報
【発明の概要】
【発明が解決しようとする課題】
【０００４】
ところが、特許文献１の小旋回用舵は、船の前後方向に対し９０度程度まで傾けることができるが、それ以上傾けるとスライドバーが枢軸のガイド孔から抜けてしまうため、本発明者は、スライドバーを長くしてガイド孔から抜けなくするよう試みた。しかし、スライドバーをあまりに長くするとスライドバーの先端が主舵軸に当たってしまうという不都合が生じた。
【０００５】
一方で、スライドバー表面には、フジツボやカキ殻が付着して、スライドバーがスムーズに摺動しなくなり、舵の操作に支障をきたすという不都合も有った。
【０００６】
本発明は、上記課題に鑑みてなされたものであり、主舵にぶつからないような短いスライドバーを用いても、スライドバーが枢軸から抜け落ちず、より大きく小旋回用舵を傾けることが可能で、かつスライドバーの表面にフジツボやカキ殻が付着することを抑制可能な複合舵の提供を目的とする。
【課題を解決するための手段】
【０００７】
上記課題を解決するためになされた発明は、船底に設けられる主舵軸と、前記主舵軸を軸として回動する主舵と、前記主舵の回動と一体的に前記主舵軸回りに遊星状に回動する小舵軸と、前記小舵軸を軸として回動する小旋回用舵と、前記小舵軸又は前記小旋回用舵に基端側を固定され先端側を前記小旋回用舵の前端側に向けて小旋回用舵の平面視長手方向に延びるスライドバーと、前記主舵軸の後方の船底に設けられ甲板に垂直な方向に延びる枢軸とを備え、前記スライドバーが前記枢軸に対して摺動可能にかつ前記枢軸まわりに回動可能に前記枢軸に連結されることで前記小旋回用舵が前記枢軸の方を向くように構成された複合舵であって、前記枢軸に固定されるとともに前記枢軸回りに回動する鞘管を備え、前記スライドバーは、前記鞘管内を摺動することを特徴とする。
【０００８】
本発明に係る複合舵では、このように、スライドバーが枢軸回りに回動する鞘管内を摺動するようにしたので、枢軸から小旋回用舵の方へ鞘管が延びる長さだけ小舵軸と枢軸の距離を離すことが可能となるため、より大きく小舵軸を傾けることが可能となる。またスライドバーの表面を鞘管で覆うためスライドバー表面にフジツボやカキ殻が付着することを抑制することができる。
【０００９】
前記スライドバーは、基端側に下方かつ先端側へ折り返す折返し部分を有し、この折り返し部分の少なくとも一部が小舵軸について前記スライドバーの先端側と逆側に突出していることが好ましい。かかる折返し部分を有することで、鞘管を小舵軸の後方まで延ばすことができ、スライドバーが鞘管内を摺動する距離を長くすることができるため、より小旋回用舵を大きく傾けることができる。
【００１０】
前記主舵は、側面視で前記主舵軸の軸芯より前側部分と後側部分の側面積の比が５：５であることが好ましい。こうすることで、スクリュー後流により主舵の前側部分に加わる水圧と後側部分に加わる水圧とのバランスが取れるため、舵軸のねじれを抑制することができる。
【００１１】
前記小旋回用舵は、側面視で前記小舵軸の軸芯より前側部分と後側部分の側面積の比が６：４であることが好ましい。こうすることで、スクリュー後流により主舵の前側部分に加わる水圧と後側部分に加わる水圧とのバランスを取りながら、舵を傾けた際に、主舵と小旋回用舵との間の間隙を大きくして、より多くのスクリュー後流に当該間隙を通過させることができる。
【発明の効果】
【００１２】
以上説明したように、本発明の複合舵によれば、小旋回用舵を大きく傾けることができるため、より小さな半径で船を旋回させることができる。また、スライドバーにフジツボやカキ殻が付着することを抑制できる。
【図面の簡単な説明】
【００１３】
【図１】本発明の一の実施形態に係る複合舵を示した側面図である。
【図２】本発明の一の実施形態に係る複合舵の枢軸周辺を示した要部背面図である。
【図３】本発明の一の実施の形態に係る複合舵の（ａ）スライドバー及び鞘管を示した斜視図、（ｂ）スライドバーの側面図、及び（ｃ）スライドバーの平面図である。
【図４】本発明の一の実施形態に係る複合舵の作用を示す説明図である。
【図５】従来の双暗車と本発明の複合舵の作用を比較した説明図である。
【図６】本発明の一の実施形態に係る複合舵を備えた船の離岸する様子を示した説明図である。
【発明を実施するための形態】
【００１４】
以下、適宜図面を参照しながら本発明の実施形態について詳述する。図１は、本発明の一実施形態に係る複合舵１を示している。複合舵１は、主舵軸２と、主舵３と、小舵軸４と、小旋回用舵５と、スライドバー６と、枢軸部７と、鞘管８とを主に備える他、主舵３及び小旋回用舵５を挟んで上下に一対の整流板９１，９２を備えている。
尚、本発明は、以下の実施形態に限られるものではない。
【００１５】
主舵３は、図１に示すように、船の後端部で船底Ｂとキール後端のシューピースＫに支持された主舵軸２を軸として回動するよう設けられている。主舵３は、図４に示すように平面視で長方形状を有する上下一対の整流板９１，９２の幅方向の中心線Ｌ１上に固定されており、舵を切ると主舵３と整流板９１，９２とが一体的に主舵軸２回りに回動するよう構成されている。主舵３は、図１に示すように、主舵軸２の軸線２ａを挟んで前側部分の面積ｍ１と後側部分の面積ｍ２の比が５：５に設けられている。
【００１６】
主舵３の先端の上下部分は、図１に示すように、整流板９１，９２の振動を抑えるために、側面視略三角形状のリブ状部分３ａ，３ｂが設けられており、また、整流板９１，９２の幅方向の両端辺には、効果的にスクリュー後流を整流して操舵性を向上させるため、互いの整流板の間となる内向きに折り返されたフランジ部９１ａ，９２ａが設けられている。
【００１７】
小舵軸４は、図４に示すように、中心線Ｌ１上の主舵軸２の後方（図４の下側）で、整流板９１，９２に対し回転可能に整流板９１，９２に支持されている。小舵軸４は、このように、主舵軸２と一体的に回動する整流板９１，９２に軸支されることで、主舵軸２及び整流板９１，９２と一体的に、かつ主舵軸２回りに遊星状に回動するよう構成されている。
【００１８】
小旋回用舵５は、小舵軸４を軸として回動するよう設けられ、側面視における小舵軸４の軸線４ａ（図１参照）より前側となる部分の面積ｍ３と後側となる部分の面積ｍ４が、概ね６対４となるよう形成されている。
【００１９】
スライドバー６は、図３に示すように、鞘管８に対し摺動する摺動部６ａと、摺動部６ａの基端側で下方かつ先端側へ折り返す折り返し部６ｂとを有し、ステンレス鋼製の丸棒を曲げ加工して形成されている。スライドバー６は、図１及び図４に示すように、摺動部６ａが小旋回用舵５の平面視長手方向に延びるように、かつ折り返し部６ｂが小舵軸４よりもスライドバー６の先端と逆側に突出するようにして小舵軸４に固定されている。
【００２０】
枢軸部７は、図１及び図４に示すように、船の前後方向について、主舵軸２の後方の船底Ｂに設けられている。詳細には、図２に示すように、枢軸部７は、Ｃ型鋼から形成され船艇Ｂに溶接で固定された軸受部７２に、ボルト（特許請求の範囲における枢軸、以下「枢軸」ともいう。）７３及びナット７４を介して、Ｃ型鋼から形成された鞘管支持部材７１を連結することにより形成されている。ボルト（枢軸）７３は、ナット７４が閉まりすぎて鞘管支持部材７１が回動しなくなることを防止するために、軸部基端側と先端のネジ部の間にナットを係止するための段差のあるものが用いられている。尚、図中７５ａ，７５ｂは丸ワッシャーを、７６はバネワッシャーを示している。
【００２１】
鞘管８は、ステンレス鋼管により形成され、図３（ａ）に示すように、Ｃ型鋼からなる鞘管支持部材７１の一対の側壁を貫通するように鞘管支持部材７１に固設されている。
【００２２】
次に、複合舵１の作用について説明する。図４において実線部分は、主舵３を取舵側へα度だけ傾けた様子を示している。主舵３及び主舵３に固定された整流板９１，９２（図４では整流板９１は表れず。）が一体的に主舵軸２回りにα度だけ回動すると、主舵３の後方（図４では下側）で整流板９１，９２に軸支された小舵軸４及び小旋回用舵５は、主舵軸３の回りにα度だけ遊星状に回動する。ここで、小舵軸４に固定されたスライドバー６の先端部が枢軸部７に拘束されているため、小旋回用舵５の先端が強制的に枢軸部７に向けられる。こうして、小旋回用舵５は、主舵の中心線Ｌ１と、小舵軸４と枢軸７３とを結ぶ直線Ｌ２のなす角β度だけさらに回動する。即ち小旋回用舵５は、図４に示すように、船の前後方向（図４における上下方向）に対し、（α＋β）度だけ傾くことになる。
【００２３】
ここで、スライドバー６は、鞘管８内を摺動するよう設けたことにより枢軸７３との連結が外れにくいため、小旋回用舵５をより大きく傾けることができ、例えば主舵３を５０度程度傾けて小旋回用舵を１００度程度傾けることが可能となる。
【００２４】
また、主舵３は、図１に示すように、主舵軸２の軸線２ａを挟んで前側部分の面積ｍ１と後側部分の面積ｍ２の比が５：５に設けられているため、スクリューＳの後流により主舵３の前後に加わる力を均等にして主舵軸２に加わるねじれを軽減することができる。そして、小舵軸４の軸線４ａより前側となる部分の面積ｍ３と後側となる部分の面積ｍ４の比が概ね６対４となるよう形成されているため、スクリュー後流により小舵軸４に加わる捩じれを抑制するとともに、図４に示すように、主舵３と小旋回用舵５の間を大きく離間させて、主舵３の後側を通るスクリュー後流Ｆ２を主舵３と小旋回用舵５の間へ通すことができ、主舵３の前後を通るスクリュー後流Ｆ１，Ｆ２の両方を小旋回用舵５に衝突させられるため、より小さい半径で船の旋回を行うことができる。
【００２５】
本発明に係る複合舵１の効果を、従来の舵と比較しながら説明すると、例えば、図５（ａ）に示すような左右のスクリューＳ１，Ｓ２を逆回転させて船に小半径旋回をさせる双暗車では、例えば、船を右へ旋回させる場合、左側のスクリューＳ１から後方へ水流Ｃ１を送り出し、右側のスクリューＳ２から前方へと水流Ｃ２を送り出す。ここで、船を後進させる向きに回転するスクリューＳ２による水流Ｃ２が、船の中心線に沿って平行に流れて船の旋回を妨げるため、船の旋回半径が大きくなる。また双暗車を備えた船では、図５（ａ）に示すように、旋回軸Ｐ１が左右のスクリューの間、つまり船の後部にあるため、船首の旋回軸Ｐ１回りの振れが大きくなる。これに対し、図５（ｂ）に示すように、本発明の複合舵１では、主舵３を５０度傾けると小旋回用舵４は概ね１００度傾き、スクリュー後流Ｃ３は、船の下側を通過せず、船の外側かつ前方へ向かうこととなる。また、本発明の複合舵１では、図５（ｂ）に示すように、旋回軸Ｐ２は、船の長さ方向の概ね中心にできるため旋回軸Ｐ２回りの船首の振れを小さくすることができ、効率よく船に小半径の旋回をさせることができる。ここで、本実施形態では、主舵３及び小旋回用舵５の上下に設けられた一対の整流板９１，９２により、スクリュー後流が整流されるため、より安定した操舵を行うことができる。
【００２６】
また、本発明の複合舵１を用いた船は、離岸する場合にも大きな効果を発揮する。左舷側が接岸した船を離岸させる場合、図６（ａ）に示すように、主舵３を面舵一杯５０度程度（小旋回用舵５が１００度程度）傾けるよう操舵してクラッチレバー（不図示）を前進側へ入れてアクセルレバー（不図示）を少しずつ前へ押し上げる操作をすればよい。すると、右方へ送出されるスクリュー後流Ｃ３により、船体保護用のペンドルＱを介して岸壁Ｗに当接した左舷の後端部を中心に、船首が右へと旋回する。前方に障害物が無ければ、２０度から３０度程度船首が離岸したところで舵を元に戻し前進して出港すればよい。
【００２７】
前方に障害物が有る場合は、図６（ｂ）に示すように、船尾から離岸すればよい。主舵３を取舵一杯５０度程度（小旋回用舵５を１００度程度）傾けるよう操舵して、クラッチを前進方向に入れてアクセルレバーを徐々に押し上げれば、左舷の船首側がペンドルＱを介して岸壁Ｗに当接した部分を中心に、岸Ｗ側へ向かうスクリュー後流Ｃ３により船尾側が旋回して離岸する。岸壁Ｗから船尾側が２０度から３０度離岸したところでアクセルレバーをスローに戻し、舵を元に戻す。そして、チェンジレバー（不図示）を後進側に入れアクセルレバーを少しずつ上げて後進するようにして離岸すればよい。
以上、船首側から離岸する場合も船尾側から離岸する場合も、離岸が終了した後は、面舵、取舵、自由に操舵して出港することができる。
【００２８】
本発明の複合舵は、上記の実施形態に限られるものではなく、整流板は、両端部にフランジ部を有さなくともよい。また、小舵軸が主舵と一体的にかつ主舵軸の回りに遊星状に回動するよう構成されていれば、整流板を省略することもできる。スライドバーは、折り曲げ部を有さなくともよいし、枢軸部は枢軸を甲板に垂直に軸支できれば、上記以外の公知の構造を適宜選択することができる。
【産業上の利用可能性】
【００２９】
本発明の複合舵は、小半径で旋回する必要の有る船や、船首側を離岸させるためのサイドスラスターを備えない船に好適に採用することができる。
【符号の説明】
【００３０】
１  複合舵
２  主舵軸
２ａ  主舵軸の軸芯
３  主舵
４  小舵軸
４ａ  小舵軸の軸芯
５  小旋回用舵
６  スライドバー
６ａ  折り返し部分
７３  枢軸（ボルト）
８  鞘管
Ｂ  船底
【図１】
2014172502.tif 000003
【図２】
2014172502.tif 000004
【図３】
2014172502.tif 000005
【図４】
2014172502.tif 000006
【図５】
2014172502.tif 000007
【図６】
2014172502.tif 000008